(57)【要約】【課題】手軽に、効果的に、且つ確実に洗髪及び頭皮のマッサージを行うことができるマッサージ装置を提供すること。【解決手段】マッサージ装置１において、施療部３が、可撓性を有する材質からなる板状の基板４と、この基板４の面に対する交差方向である下方に突出して設けられた複数の第一の突起５と、前記基板４の面と交差する上下方向に前記基板４を撓ませる往復駆動機構１２を備える。前記第一の突起５に内外を連通する連通部２５を設け、前記基板４の内側に設けられると共に前記連通部２５に連通して前記基板４の撓みに応動する被収容物としてのシャンプーＬの収容体２６を設けたことにより、前記基板４の撓みに応動して前記収容体２６に染み込ませた前記シャンプーＬを泡立たせて前記連通部２５から供給しながら洗髪やマッサージを行うことができる。【選択図】図１
2008228922.tif 000002
【特許請求の範囲】
【請求項１】
駆動部と、この駆動部によって動作する施療部とを有し、前記駆動部に、前記施療部の基板の周縁を前記駆動部に対する位置関係が固定された状態で着脱自在に保持する枠体を設けると共に、前記基板の面と交差する方向にこの基板を撓ませる往復駆動手段を設け、前記施療部が、可撓性を有する材質から成る前記基板と、この基板に突出して設けられた複数の突起とで構成されるマッサージ装置において、
前記突起又は前記基板に、前記駆動部と施療部とで囲まれる領域の内外を連通する連通部を設けると共に、前記連通部に連通して前記基板の撓みに応動する被収容物の収容体を前記領域に設けたことを特徴とするマッサージ装置。
【請求項２】
前記収容体が弾性体であることを特徴とする請求項１記載のマッサージ装置。
【請求項３】
前記弾性体がスポンジであることを特徴とする請求項２記載のマッサージ装置。
【請求項４】
前記被収容物が液体状洗剤であることを特徴とする請求項１〜３のいずれか１項に記載のマッサージ装置。
【発明の詳細な説明】
【技術分野】
【０００１】
本発明は、動力駆動のマッサージ装置に関するものであり、特に、洗髪時等における頭皮のマッサージや揉み出し洗い等に使用するマッサージ装置に関するものである。
【背景技術】
【０００２】
従来、この種のマッサージ装置としては、例えば、モータを内蔵したケーシングに弾性部材を介して振動ヘッドを取り付け、この振動ヘッド内に前記モータのモータ軸を突設させ、このモータ軸に振動子を偏心させた状態で取り付け、更に、前記振動ヘッドの一側面に柔軟物質から成るブラシを取り付けたマッサージ兼電動洗髪ブラシが知られている（例えば、特許文献１参照。）。このマッサージ兼電動洗髪ブラシにおいては、前記ブラシは円盤状に形成された基板としてのブラシ本体部と、該ブラシ本体部の一側面に多数突設された突起としての針状体片とから成る。そして、このマッサージ兼電動洗髪ブラシを使用する場合、使用者は、まずケーシングを把持して前記ブラシを頭部に押し当て、前記モータを作動させることで、前記振動ヘッドに内蔵されている振動子の偏心回転によって生じる振動が、前記振動ヘッド及びブラシを介して頭皮に伝達される。そして、前記ブラシは柔軟物質から構成されているので、頭皮を傷つけることなく毛穴の脂垢を取り除き、同時にマッサージを行うというものである。
【特許文献１】特開２００１−２５８９７４号公報
【発明の開示】
【発明が解決しようとする課題】
【０００３】
しかしながら、このようなマッサージ装置は、洗髪時における頭皮のマッサージ等を行うとき、前記振動ヘッドに内蔵されている振動子の偏心回転によって生じる振動が、前記振動ヘッド及び柔軟物質から構成されている前記ブラシを介して頭皮に伝達されるというものであるが、前記ブラシは頭皮に対して単純に振動しているだけなので、頭皮のマッサージを充分に行うことができないばかりでなく、頭皮の汚れを充分落とすことができないという問題があった。
【０００４】
このような問題を解決するものとして、本出願人はマッサージ装置を提案している（特願２００６−５３７３８）。これは、駆動部と、この駆動部によって動作する施療部とを有し、前記駆動部に、前記施療部の基板の周縁を前記駆動部に対する位置関係が固定された状態で着脱自在に保持する枠体を設けると共に、前記基板の面と交差する方向にこの基板を撓ませる往復駆動手段を設け、前記施療部が、可撓性を有する材質から成る前記基板と、この基板に突出して設けられた複数の突起とで構成され、マッサージの際に、前記往復駆動手段によって前記施療部の基板を撓ませることで、この基板の撓みに伴って、この基板に設けられた複数の前記突起を繰り返し倒したり起こしたりさせることで相互に開閉させ、この相互に開閉する突起によって、揉んだり擦ったり叩いたりするように、頭皮を複雑にマッサージすることができるものである。そして特に、前記突起の形状を、幅狭な先端側と幅広の基端側を有すると共に湾曲凸状の対向面を有するように形成することで、指先で行うようなマッサージ等を行うことができるというものである。
【０００５】
しかしながら、洗髪或いは頭皮のマッサージを行う場合、髪や頭皮を洗浄するために、或いは髪を摩擦によって傷めることを防止するために、髪や頭皮に軽く泡立たせた洗髪用シャンプーを塗った後、前記マッサージ装置を把持して前記施療部を頭皮に押し当てる必要があったので、前記マッサージ装置を使用するのに若干の手間が必要であった。また、洗髪用シャンプー等を手で泡立てる場合、手では洗髪用シャンプーを細かく泡立てることが困難であるため、髪や頭皮の洗浄効果が不十分であったり、髪の摩擦からの保護効果が不十分であったりする虞があった。更に、洗髪用シャンプーを髪に塗ったままの滑りやすい手で前記マッサージ装置を持つと、このマッサージ装置を落として破損させてしまったり、最悪の場合使用者が怪我をしてしまったりする虞があった。
【０００６】
本発明は以上の問題点を解決し、手軽に、効果的に、且つ確実に洗髪及び頭皮のマッサージを行うことができるマッサージ装置を提供することを目的とする。
【課題を解決するための手段】
【０００７】
請求項１の発明は、駆動部と、この駆動部によって動作する施療部とを有し、前記駆動部に、前記施療部の基板の周縁を前記駆動部に対する位置関係が固定された状態で着脱自在に保持する枠体を設けると共に、前記基板の面と交差する方向にこの基板を撓ませる往復駆動手段を設け、前記施療部が、可撓性を有する材質から成る前記基板と、この基板に突出して設けられた複数の突起とで構成されるマッサージ装置において、前記突起又は前記基板に、前記駆動部と施療部とで囲まれる領域の内外を連通する連通部を設けると共に、前記連通部に連通して前記基板の撓みに応動する被収容物の収容体を前記領域に設けたことを特徴とするマッサージ装置である。
【０００８】
請求項２の発明は、前記収容体が弾性体であることを特徴とする請求項１記載のマッサージ装置である。
【０００９】
請求項３の発明は、前記弾性体がスポンジであることを特徴とする請求項２記載のマッサージ装置である。
【００１０】
請求項４の発明は、前記被収容物が液体状洗剤であることを特徴とする請求項１〜３のいずれか１項に記載のマッサージ装置である。
【発明の効果】
【００１１】
請求項１の発明によれば、前記往復駆動機構によって前記施療部の基板を繰り返し撓ませることで、前記駆動部と施療部とで囲まれる領域に設けられる前記収容体が、前記基板の撓みに伴って圧縮されることで、前記収容体に収容された前記被収容物が前記連通部から頭皮等に供給される。従って、使用者が前記被収容物を髪や頭皮に塗りつけてから前記マッサージ装置を使用する必要がなく、手軽に前記被収容物を髪や頭皮に供給して洗髪やマッサージを行うことができる。また、この際、前記駆動部を把持する手に前記被収容物が付着しないので、マッサージ装置を滑らせて落とす虞を減ずることができる。
【００１２】
請求項２の発明によれば、前記基板の撓みに伴って前記収容体も圧縮及び復元を繰り返すことで、前記収容体に収容された前記被収容物を繰り返し供給することができる。
【００１３】
請求項３の発明によれば、前記被収容物を染み込ませた状態で前記収容体に収容することができる。
【００１４】
請求項４の発明によれば、使用者が泡立てた前記液体状洗剤を髪や頭皮に塗りつけてから前記マッサージ装置を使用する必要がなく、液体洗剤を泡立てたり髪や頭皮に塗りつけたりする手間を省いて手軽に前記被収容物を髪や頭皮に供給して洗髪やマッサージを行うことができる。そして、前記基板を撓ませることで前記収容体の圧縮及び復元を繰り返させると、前記連通部から空気が出入りすることで、前記液体状洗剤が細かく泡立てられ、この細かく泡立てられた前記液体状洗剤が前記連通部を介して髪や頭皮に供給され、これによって、髪や頭皮を効果的に洗浄することができるばかりでなく、細かい泡によって髪を確実に保護することができる。
【発明を実施するための最良の形態】
【００１５】
本発明における好適な実施の形態について、添付図面を参照して説明する。なお、以下に説明する実施の形態は、特許請求の範囲に記載された本発明の内容を限定するものではない。また、以下に説明される構成の全てが、本発明の必須要件であるとは限らない。
【実施例１】
【００１６】
図１〜図５は実施例１を示している。なお、本例においては、図１の姿勢を基準として上下を規定する。１は本発明のマッサージ装置である。このマッサージ装置１は、駆動部としてのマッサージ装置本体２と、このマッサージ装置本体２の下部側に着脱自在に保持される施療部３とを有して構成されている。そして、この施療部３は、基板４と、この基板４の下面と交差する方向である下方側に突出して一体に設けられた３種類の突起５，６，７とで構成されている。また、前記基板４は、平面視で楕円状であって、可撓性及び弾性を有するエラストマーによって形成されている。そして、前記基板４の縁４Ａは、前記マッサージ装置本体２の下縁側に固定されている。なお、ここで言う「固定」とは、多少の動きを許容して接続される状態を含むものであり、本実施例では、前記基板４の縁４Ａを前記マッサージ装置本体２の下面に沿って形成した溝よりなる固定用の枠体８に嵌合させることで、両者を全周に亘って着脱自在に接続している。
【００１７】
前記マッサージ装置本体２は、底面側が開口すると共に片手で把握可能な大きさを有するケース本体２Ａと、このケース本体２Ａの開口した底面側を閉塞する底面部２Ｂとを有して構成されており、この底面部２Ｂは、底板９と覆い体１１とを有する。そして、前記底板９は、平面視で楕円状に形成されており、前記ケース本体２Ａの底縁にその外周が固定されていると共に、前記底板９の中央部には上下方向に貫通する円形の窓孔１０が形成されており、この窓孔１０を覆って伸縮可能な前記覆い体１１が設けられている。この覆い体１１は、例えばゴム或いは合成ゴムやエラストマー等の可撓性を有する材質から成る蛇腹状の膜によって、前記窓孔１０を水密に封ずるように設けられている。そして、前記マッサージ装置本体２の内部には、前記基板４の中央部を上下方向に往復動させる往復駆動手段１２が設けられている。この往復駆動手段１２は、前記底板９上に設けられる駆動源としてのモータ１３と、このモータ１３のモータ軸１３Ａに減速歯車機構１４を介して接続されるクランク機構１５と、このクランク機構１５の偏心軸１５Ａに対して一側が連結されると共に前記基板４の上面のほぼ中央に他側が連結されたコンロッド１６を備えている。なお、前記覆い体１１のほぼ中央には接続中継部材１７が一体的に取り付けられている。この接続中継部材１７は、その上面側と前記コンロッド１６の他側とで前記覆い体１１を挟持して固定すると共に、その下面側にフック１７Ａが設けられており、このフック１７Ａに前記基板４中央の上面に設けられたフック受け部４Ｂが着脱自在に接続されている。従って、前記接続中継部材１７は、前記モータ１３の回転運動が前記クランク機構１５とコンロッド１６とで往復運動に変換されることで、上下方向に往復運動するようになっている。これにより、前記フック受け部４Ｂが設けられた位置が、前記基板４における最大振幅部となり、その振幅は、前記クランク機構１５の中心軸から前記偏心軸１５Ａまでの偏心距離Ｆの２倍（２Ｆ）となる。また、前記フック受け部４Ｂ及び接続中継部材１７を通って上下方向に仮想的な中心軸線Ｘが形成される。また、前記マッサージ装置本体２の内部には、前記モータ１３に電力を供給するための電池１８が設けられていると共に、前記マッサージ装置本体２の上面側表面には、前記モータ１３を操作するためのスイッチ１９が設けられている。
【００１８】
前記施療部３について詳述する。前記突起５，６，７は、前記基板４のほぼ中央を上下に通る仮想的な前記中心軸線Ｘを中心として、前記基板４の縁４Ａに沿って配置される楕円状の仮想外側輪Ｏと、その内側に配置されるほぼ円状の仮想内側輪Ｉと、これらの間に配置されるほぼ円状の仮想中間輪Ｍに沿ってそれぞれ設けられている。
【００１９】
前記仮想中間輪Ｍに沿って相互に間隔をおいて設けられる第一の突起５は、中心軸線Ｘを中心として相互に対向するように複数間隔をおいて設けられている。なお、本例において、前記第一の突起５は、円弧状に三つ並んだ群を軸対称となるように二個所に設けることで、合計六つ設けられている。そして、一方に三つ並んだ群の第一の突起５Ａは、中心軸線Ｘを挟んで他方に三つ並んだ群の対向する第一の突起５Ｂに対向している。そして、前記第一の突起５における前記中心軸線Ｘに面する対向面２０は、その先端２１が先細に形成されると共に、その基端２２に向かって次第に幅Ｗが大きくなるように形成されて前記基板４に一体に接続されていることで、前記対向面２０は、先端２１から基端２２にかけてほぼ三角形状に形成されている。そして、前記対向面２０は、その基端２２側よりも先端２１側が前記中心軸線Ｘからの距離Ｚが長くなるように、湾曲凸状に後退している。なお、前記第一の突起５における前記対向面２０の最大幅は、ほぼ手指の幅程度に形成され、さらに、前記対向面２０の最大高さは手指の先から第一関節までの長さにほぼ相当している。
【００２０】
さらに、前記第一の突起５は、その対向面２０の左右両側にそれぞれ側面２３を一体に設けたほぼ三角錐状となって突設しており、そして前記第一の突起５は、板状の前記基板４の厚みとほぼ同じ厚みによって凸状に一体成形されたものであり、このために、前記第一の突起５の内部には中空部２４が形成されると共に、この中空部２４の上部には開口部２４Ａが設けられ、この上部開口部２４Ａを介して前記中空部２４が前記基板４の上方、すなわちこの基板４と前記底面部２Ｂの間の空間に連通するようになっている。一方、前記第一の突起５の対向面２０の先端２１寄りには、横長の連通部２５が貫通して形成されており、この連通部２５によって、前記中空部２４、ひいては前記底面部２Ｂと基板４の内面との間の空間と前記第一の突起５の外部とが連通している。
【００２１】
また、前記仮想外側輪Ｏに沿って相互に間隔をおいて設けられる第二の突起６は、先端側がやや細くなっていると共に先端が丸められた棒状（即ち、頂角の小さな円錐状）に形成されており、前記底板９側からの高さ距離Ｈ２が、前記第一の突起５における前記底板９側からの高さ距離Ｈ１よりも常時大きくなるように形成されている。即ち、前記施療部３が図４の状態と図５の状態との間で変形することで、前記第一の突起５が上下に移動したとしても、前記第二の突起６は、その先端が前記第一の突起５の最も下位置となる位置よりも常時下方に位置するように形成されている。また、前記第二の突起６におけるその一本当たりの平面積は、前記第一の突起５の平面積よりも小さく形成されている。なお、複数本の前記第二の突起６からなる群が、平面が楕円形状の前記基板４における長軸方向の両側それぞれに配置されている。
【００２２】
更に、前記仮想内側輪Ｉに沿って相互に間隔をおいて設けられる第三の突起７は、先端を丸くした四角柱状であって、その前記基板４からの高さＨ３は、前記第一の突起５における前記基板４からの高さＨ１´よりも小さく形成されている。また、前記第三の突起７におけるその１本当たりの平面積は、前記第一の突起５の平面積よりも小さく形成されている。
【００２３】
更に、前記底面部２Ｂと基板４の内面との間に、被収容物としての液体状洗剤、例えば洗髪用シャンプーＬの収容体２６を設ける。この収容体２６は前記基板４の撓みに応動して圧縮及び復元を繰り返して前記シャンプーＬを泡立て、前記中空部２４、連通部２５を介して外部に噴出させるようになっている。なお、前記収容体２６は、実施例では弾性体である連続気泡型の発泡ポリウレタンや発泡ゴム等から成る合成スポンジ或いは海綿（天然スポンジ）等によって形成されており、図１に示すように、前記基板４が下に撓んだ湾曲凸状態のときに、前記収容体２６はほぼ非圧縮状態或いはやや圧縮状態となって、前記底面部２Ｂと基板４の上面との間に介在している。即ち、前記基板４が下に撓んだ湾曲凸状態のときに、前記収容体２６の上面２６Ａは前記底面部２Ｂに接するか或いは近接し、前記収容体２６の下面２６Ｂは前記基板４の上面に接するか或いは近接し、更に前記収容体２６の外周２６Ｃは前記枠体８に接するか或いは近接している。一方、前記収容体２６における中心部、すなわち中心軸線Ｘに沿って貫通孔２６Ｄが形成されている。この貫通孔２６Ｄに前記フック受け部４Ｂや前記フック１７Ａが遊挿できる大きさに形成されている。
【００２４】
次に、前記構成について、その作用を説明する。洗髪時等において頭皮Ｓのマッサージを行ったり揉み出し洗いを行ったりする場合、まず使用者は、前記基板４の縁４Ａの一部又は全部を前記枠体８より外し、更に、必要に応じて前記フック受け部４Ｂと前記フック１７Ａとの接続を離脱した状態で、前記収容体２６に前記シャンプーＬを収容する。これは、容器Ｌ´のノズルから注出させた前記シャンプーＬを前記収容体２６に染み込ませることで行われる。なお、必要に応じ、前記シャンプーＬを希釈するための水も前記収容体２６に染み込ませてもよい。このように、前記シャンプーＬを前記収容体２６に収容した後に、再び前記フック受け部４Ｂとフック１７Ａとを接続し、さらには前記基板４の縁４Ａを前記枠体８に嵌合して図１に示すように取り付ける。そして使用者は、前記マッサージ装置本体２を把持し、前記第一及び第二の突起５，６の先端部を前記頭皮Ｓに押し当てて手で保持する。次に、前記スイッチ１９を閉成すると、前記電池１８から電力が給電されることで、前記モータ１３が作動して前記モータ軸１３Ａが回転する。この回転に伴い、前記モータ軸１３Ａに前記減速歯車機構１４を介して接続された前記クランク機構１５が回転し、このクランク機構１５及びこのクランク機構１５の偏心軸１５Ａに連結された前記コンロッド１６によって、前記モータ軸１３Ａの回転運動が往復運動に変換され、前記コンロッド１６に連結された前記接続中継部材１７が上下に往復動する。そして、前記基板４は、前記接続中継部材１７に接続された前記フック受け部４Ｂ、即ち、前記基板４の中央が最大振幅箇所となるように、図４に示す下に撓んだ湾曲凸状態と図５に示す上に撓んだ湾曲凹状態との間で変形を繰り返し、その前記最大振幅個所における振幅は、前記クランク機構の中心軸から偏心軸１５Ａまでの偏心距離Ｆの２倍（２Ｆ）となる。これにより、主として前記第一の突起５は、前記中心軸線Ｘを中心としてその内側方向に傾斜したり、或いはその後起立したりすることを繰り返すことで、前記頭皮Ｓを揉むようにしてマッサージを行うことができる。また、前記第三の突起７は、前記基板４の撓みによって、前記頭皮Ｓに対して当接と離間を繰り返すことで、前記頭皮Ｓを軽く叩くようにしてマッサージを行うことができる。
【００２５】
なお、前記第二の突起６は、前記基板４の外周付近で且つ楕円形状の前記基板４における長軸方向の両側に形成されているので、前記基板４が撓んだとしても、多少揺動する程度で殆ど動かない。しかしながら、この殆ど動かない第二の突起６自体はマッサージを殆ど行わないものの、この第二の突起６によって前記マッサージ装置本体２と頭皮Ｓとの間隔が保たれることになり、前記施療部３を頭皮Ｓに必要以上に強く押し当ててしまうことが防止される。そして、前記施療部３を頭皮Ｓに必要以上に強く押し当ててしまうと、前記基板４の撓みによる前記第一の突起５の起倒に伴う反作用によって、前記マッサージ装置本体２、ひいてはそれを持つ使用者の手が前記中心軸線Ｘ方向に大きく振動したり、逆に前記施療部３が押し当てられた頭が大きく揺さぶられたりすることになり、前記第一の突起５によるマッサージが良好に行われないが、前記第二の突起６によって前記マッサージ装置本体２と頭皮Ｓとの間隔が保たれることで、前記施療部３が頭皮Ｓに対して必要以上に強く押し当てられず、前記マッサージ装置本体２を持つ使用者の手及び前記施療部３が押し当てられた頭が大きく揺さぶられることがないので、前記第一の突起５によるマッサージが良好に行われることになる。
【００２６】
そして、前記基板４が図４の状態から図５の状態に変形する、すなわち前記基板４が湾曲凸状態から湾曲凹状態に撓むことで、前記第一の突起５が頭皮Ｓに当接した状態で内側に倒れることになり、前記第一の突起５によって前記頭皮Ｓが掴まれるようにマッサージされることになる。この際、前記第一の突起５の前記中心軸線Ｘに対向する対向面２０が、その先端２１側を先細に形成すると共に基端２２側を次第に幅大に形成したほぼ三角形状に形成されていることにより、図４の状態では、前記対向面２０の先端２１よりもやや基端２２寄りの部分が前記頭皮Ｓに柔らかく当たり、それから図５の状態に向かって変形するに従って、順次幅狭になる先端２１側が頭皮Ｓに当たるようになるので、指先で揉むような指圧法のマッサージを行うことができる。更に、前記第一の突起５は、その基端２２側よりも先端２１側が前記中心軸線Ｘから離間するように湾曲凸状に後退していることにより、前記第一の突起５が内側方向に傾斜したり起立したりして前記頭皮Ｓと接触する際に、前記対向面２０が、その基端２２側から先端２１側にかけて頭皮Ｓを滑るように揉むことができる。また、前記第一の突起５は、前記中心軸線Ｘを中心として相互に対向するように複数間隔をおいて設けられていることにより、対向する前記第一の突起５Ａ，５Ｂ相互間での揉み作用もなすことができる。更に、逆に前記基板４が図５の状態から図４の状態に変形する、すなわち前記基板が湾曲凹状態から湾曲凸状態に撓む場合でも、前記第一の突起５によって指先のような柔らかいマッサージを行うことができる。
【００２７】
また、前記基板４は、図４に示す下に撓んだ湾曲凸状態と図５に示す上に撓んだ湾曲凹状態との間で変形を繰り返す際、前記基板４と底板９、ひいては底面部２Ｂの間の空間が圧縮、復元を繰り返すことになり、この結果、前記収容体２６は前記基板４の撓みに応動して圧縮、復元を繰り返す。そして、前記収容体２６が圧縮される際に、この収容体２６に収容されていた前記シャンプーＬは前記上部開口部２４Ａを経て中空部２４に押し出され、更に前記連通部２５より頭皮Ｓに向けて噴出されることとなる。なお、前記シャンプーＬは、前記収容体２６から押し出された際に、また、前記連通部２５から噴出される際に、前記収容体２６に含まれる空気や前記空間内に存在する空気と混じり合うことで泡立ち、この泡立った前記シャンプーＬが髪（図示せず）や頭皮Ｓに供給される。一方、前記基板４が湾曲凸状態になることに伴って前記収容体２６が復元する際に、前記連通部２５から外部に噴出せずに前記空間内に残った前記シャンプーＬが前記収容体２６に吸い込まれると共に、前記連通部２５から前記上部開口部２４Ａを経て前記収容体２６に外気が吸い込まれる。そして前記収容体２６が再び圧縮されると、前記シャンプーＬが再び泡立てられ、この泡立てられた前記シャンプーＬが、前記上部開口部２４Ａ及び中空部２４を経て前記連通部２５より頭皮Ｓに向けて噴出される。このように、湾曲凸状態と湾曲凹状態との間で繰り返される前記基板４の変形に応動して前記収容体２６が圧縮、復元を繰り返すことで、前記収容体２６に収容された前記シャンプーＬは泡立てられて前記施療部３の外部に供給される。
【００２８】
なお、前記シャンプーＬは、スポンジ等の前記収容体２６によって泡立てられることで細かく泡立つと共に、前記連通部２５を通過する際にも細かく泡立てられることになる。また、前記シャンプーＬは、前記連通部２５の孔の大きさが小さい程細かく泡立てられることになる。そして、このように細かく泡立てられた前記シャンプーＬを用いて、前記頭皮Ｓや髪（図示せず）が洗浄される。そして、本願発明のマッサージ装置１を用いて図示しない髪の洗浄や頭皮Ｓのマッサージを行う場合、使用者が掌を用いて前記シャンプーＬを泡立てる必要がなく、前記マッサージ装置１を作動させることで前記収容体２６に染み込ませた前記シャンプーＬが泡立つので、手軽に洗髪やマッサージを行うことができるばかりでなく、摩擦を低下させる前記シャンプーＬの泡が前記マッサージ装置本体２を把持する手に付着しないので、前記マッサージ装置１を滑らせて落とす虞を減ずることができる。更に、使用者が掌を用いて泡立てた場合よりも細かく泡立てた前記シャンプーＬを用いて洗髪やマッサージを行うことができるので、髪や頭皮Ｓを効果的に洗浄することができるばかりでなく、エラストマー等の摩擦係数の比較的大きな材質から構成される前記施療部３との摩擦から髪を確実に保護することができる。
【００２９】
以上のように、前記実施例おいては、可撓性を有する基板４とこの基板４の面と交差するように基板４に設けられた複数の突起５〜７から成る施療部３を、駆動部としてのマッサージ装置本体２の枠体８及び前記マッサージ装置本体２内の往復駆動手段１２に、前記マッサージ装置本体２に対する位置関係が固定された状態で着脱自在に保持させ、前記往復駆動手段１２によって前記基板４をその面と交差する方向に繰り返し撓ませることで、前記各突起５〜７によって頭皮Ｓ等を洗浄又はマッサージするマッサージ装置１であって、第一の突起５に、前記マッサージ装置本体２と施療部３とで囲まれる領域の内外を連通する連通部２５を設けると共に、前記連通部２５に連通して前記基板４の撓みに応動する被収容物としてのシャンプーＬの収容体２６を前記領域に設けたことで、前記マッサージ装置１を作動させて前記収容体２６に染み込ませた前記シャンプーＬを前記連通部２５から排出させ、手軽に洗髪やマッサージを行うことができるばかりでなく、前記マッサージ装置本体２を把持する使用者の手に前記シャンプーＬが付着しないので、前記マッサージ装置１を滑らせて落下させてしまう虞を減ずることができるものである。
【００３０】
また、前記収容体２６が弾性体であるので、この収容体２６を繰り返し弾性変形させることで、前記シャンプーＬを繰り返し供給することができる。
【００３１】
更に、前記収容体２６がスポンジであるので、前記シャンプーＬが染み込んで収容されるので、不使用時に前記連通部２５より漏れるようなこともない。
【００３２】
しかも、前記被収容物が液体状洗剤のシャンプーＬであるので、使用者が泡立てた前記シャンプーＬを髪や頭皮Ｓに塗りつけてから前記マッサージ装置１を使用する必要がなく、シャンプーＬを泡立てたり髪や頭皮に塗りつけたりする手間を省いて手軽に前記シャンプーＬを髪や頭皮Ｓに供給して洗髪やマッサージを行うことができるばかりでなく、前記収容体２６の圧縮及び復元を繰り返させると、前記連通部２５から空気が出入りすることで、前記シャンプーＬが細かく泡立てられて前記連通部２５から髪や頭皮Ｓに供給され、これによって、髪や頭皮Ｓを効果的に洗浄することができるばかりでなく、細かい泡によって髪を確実に保護することができる。
【００３３】
なお、本発明のマッサージ装置は、以上の実施例に限定されるものではなく、発明の要旨の範囲内で種々の変形実施が可能である。例えば、上記実施例では、施療部の突起に内外を連通する連通部を形成したが、施療部の基板に内外を連通する連通部を設け、この連通部に連通して前記基板の撓みに応動する被収容物の収容体を設けてもよい。また、上記実施例では、施療部をマッサージ装置本体から取り外して収容体にシャンプーを染み込ませたが、前記施療部に前記シャンプーの供給口を設け、前記施療部を取り外さない状態で、前記供給口を介して前記収容体へ前記シャンプーを染み込ませることができるようにしてもよい。
【図面の簡単な説明】
【００３４】
【図１】本発明の実施例１を示す断面図である。
【図２】本発明の実施例１を示す斜視図である。
【図３】本発明の実施例１を示す分解斜視図である。
【図４】本発明の実施例１を示す湾曲凸状態の基板まわりの断面図である。
【図５】本発明の実施例１を示す湾曲凹状態の基板まわりの断面図である。
【符号の説明】
【００３５】
１  マッサージ装置
２  マッサージ装置本体（駆動部）
３  施療部
４  基板
４Ａ  縁
５  第一の突起（突起）
６  第二の突起（突起）
７  第三の突起（突起）
８  枠体
１２  往復駆動手段
２５  連通部
２６  収容体
Ｌ  シャンプー（被収容物、液体洗浄剤）
【図１】
2008228922.tif 000003
【図２】
2008228922.tif 000004
【図３】
2008228922.tif 000005
【図４】
2008228922.tif 000006
【図５】
2008228922.tif 000007
【手続補正書】
【提出日】平成20年2月8日(2008.2.8)
【手続補正１】
【補正対象書類名】明細書
【補正対象項目名】００１１
【補正方法】変更
【補正の内容】
【００１１】
請求項１の発明によれば、前記往復駆動手段によって前記施療部の基板を繰り返し撓ませることで、前記駆動部と施療部とで囲まれる領域に設けられる前記収容体が、前記基板の撓みに伴って圧縮されることで、前記収容体に収容された前記被収容物が前記連通部から頭皮等に供給される。従って、使用者が前記被収容物を髪や頭皮に塗りつけてから前記マッサージ装置を使用する必要がなく、手軽に前記被収容物を髪や頭皮に供給して洗髪やマッサージを行うことができる。また、この際、前記駆動部を把持する手に前記被収容物が付着しないので、マッサージ装置を滑らせて落とす虞を減ずることができる。
【手続補正２】
【補正対象書類名】明細書
【補正対象項目名】００２４
【補正方法】変更
【補正の内容】
【００２４】
次に、前記構成について、その作用を説明する。洗髪時等において頭皮Ｓのマッサージを行ったり揉み出し洗いを行ったりする場合、まず使用者は、前記基板４の縁４Ａの一部又は全部を前記枠体８より外し、更に、必要に応じて前記フック受け部４Ｂと前記フック１７Ａとの接続を離脱した状態で、前記収容体２６に前記シャンプーＬを収容する。これは、容器Ｌ´のノズルから注出させた前記シャンプーＬを前記収容体２６に染み込ませることで行われる。なお、必要に応じ、前記シャンプーＬを希釈するための水も前記収容体２６に染み込ませてもよい。このように、前記シャンプーＬを前記収容体２６に収容した後に、再び前記フック受け部４Ｂとフック１７Ａとを接続し、さらには前記基板４の縁４Ａを前記枠体８に嵌合して図１に示すように取り付ける。そして使用者は、前記マッサージ装置本体２を把持し、前記第一及び第二の突起５，６の先端部を前記頭皮Ｓに押し当てて手で保持する。次に、前記スイッチ１９を閉成すると、前記電池１８から電力が給電されることで、前記モータ１３が作動して前記モータ軸１３Ａが回転する。この回転に伴い、前記モータ軸１３Ａに前記減速歯車機構１４を介して接続された前記クランク機構１５が回転し、このクランク機構１５及びこのクランク機構１５の偏心軸１５Ａに連結された前記コンロッド１６によって、前記モータ軸１３Ａの回転運動が往復運動に変換され、前記コンロッド１６に連結された前記接続中継部材１７が上下に往復動する。そして、前記基板４は、前記接続中継部材１７に接続された前記フック受け部４Ｂ、即ち、前記基板４の中央が最大振幅箇所となるように、図４に示す下に撓んだ湾曲凸状態と図５に示す上に撓んだ湾曲凹状態との間で変形を繰り返し、その前記最大振幅個所における振幅は、前記クランク機構１５の中心軸から偏心軸１５Ａまでの偏心距離Ｆの２倍（２Ｆ）となる。これにより、主として前記第一の突起５は、前記中心軸線Ｘを中心としてその内側方向に傾斜したり、或いはその後起立したりすることを繰り返すことで、前記頭皮Ｓを揉むようにしてマッサージを行うことができる。また、前記第三の突起７は、前記基板４の撓みによって、前記頭皮Ｓに対して当接と離間を繰り返すことで、前記頭皮Ｓを軽く叩くようにしてマッサージを行うことができる。